(57)【要約】【課題】カーナビゲーション装置において、ナビ機能を発揮させながらオーディオ記録ディスクの再生ができ、地図データ記録用ディスクの交換も容易に行うことができるようにする。【解決手段】前面パネル３の裏側に地図データを記録したＤＶＤ９を載せるトレー１０を設け、このトレー１０を本体２に前後に移動可能に支持する。トレー１０の下側に地図データ読取装置１１を設け、ＤＶＤ９から地図データを読み取って前面パネル３に配設した表示器の画面に表示するようにする。また、本体２側にオーディオデッキを設け、音楽用ＣＤを前面パネル３の上部に形成した挿入口からオーディオデッキに挿入できるようにする。地図データを更新した新しいＤＶＤと交換する場合、前面パネル３を前方に移動して本体２との間に生じた空間Ｓを通じてＤＶＤ９の交換作業を行う。【選択図】  図１
2004228419.tif 000002
【特許請求の範囲】
【請求項１】
本体と、
この本体の前面部に設けられ、支持装置によって前記本体から前方に離間する方向および本体に接する方向に往復移動可能に支持された前面パネルと、
前記前面パネルの裏側に設けられて該前面パネルの往復移動に伴って前記本体に対し出し入れされ、セットされた地図データ記録ディスクから地図データを読み取る地図データ読取装置と、
前記前面パネルの前面に設けられ、前記地図データ読取装置が読み取った地図データを表示する表示器と、
前記前面パネルに設けられ、オーディオ記録ディスクを前記本体内に挿入するための挿入口と、
前記本体内に設けられ、前記挿入口から挿入されたオーディオ記録ディスクを受け入れて当該ディスクに記録された内容を再生する音再生装置とを具備し、
前記前面パネルを前記本体から離間する方向に移動させることによって、これら前面パネルと本体との間に、前記地図データ読取装置に対して地図データ記録ディスクを着脱操作可能な空間が生ずるように構成されていることを特徴とするカーナビゲーション装置。
【請求項２】
前記前面パネルを前記本体の前面を閉鎖した位置にロックするロック装置およびこのロック装置によるロックが解除されたとき前記前面パネルを蓄勢弾発力によって前方に移動させる弾性部材が設けられていることを特徴とする請求項１記載のカーナビゲーション装置。
【発明の詳細な説明】
【０００１】
【発明の属する技術分野】
本発明は、表示器に地図データを表示しながらオーディオ記録ディスクの再生ができるようにしたカーナビゲーション装置に係り、特に地図データ記録ディスクを交換する構成の簡素化を図ったものに関する。
【０００２】
【従来の技術】
カーナビゲーション装置は、当初自動車メーカーにおいて予め自動車に組み込んでおくメーカーオプション部品として出発したが、最近では自動車用品の販売店でも販売されており、自動車購入後でも取り付けることができるようになっている。
【０００３】
販売店で売られているカーナビゲーション装置は、２ＤＩＮのオーディオ・ナビ一体機が多くなってきている。２ＤＩＮとは装置の高さが約１０ｃｍであることを表している。
そしで、初期のカーナビゲーション装置では、画面全体に地図を表示していたが、最近では、交差点が近づくと、左半分は通常の地図、右半分は交差点の拡大図を表示したり、また、尺度が異なる地図を左右に表示したり、高速道路走行中は画面の右半分にインターチェンジ、サービスエリア、パーキングエリアなどの情報を表示したりするようになっている。
【０００４】
【発明が解決しようとする課題】
初期のカーナビゲーション装置では、その表示器は画面全体に一つの地図だけを表示するものであったため、画面サイズの小さなもので良く、本体の前面に表示器の他に、音楽用ディスクと地図データ用ディスクの２つの挿入口を設けることができていた。
【０００５】
ところが、上記のように最近のカーナビゲーション装置では、多くの情報をユーザに提供する必要上、画面サイズの大きな表示器が必要となってきている。画面の大きな表示器を採用した場合、余分なスペースが無くなるため、ディスクの挿入口は１つしか設けることができなくなる。
【０００６】
しかしながら、ディスクの挿入口が１つでは、音楽を聞く場合には、地図データ用ディスクは抜き出して音楽用ディスクをセットしなければならないので、ナビ機能を使用できなくなり、逆にカーナビとして使用する場合には、音楽を再生できなくなってしまう。
【０００７】
そこで、地図データ記録ディスクを着脱式とせず、本体組込み型にしたものがある。しかしながら、地図データは毎年更新され、収録されている道路データや検索データは新しいものとされるが、地図データ記録ディスクを本体組込み型としたものでは、古いディスクを新しいディスクと交換する場合、ユーザはもちろん、自動車用品の販売店でも作業困難であるため、自動車メーカー側に自動車を送って交換してもらわねばならないなど不便な事態が生ずる。
【０００８】
また、ナビ機能を発揮させながら音楽の再生もでき、地図データ記録ディスクも容易に交換できるようにするために、表示器を取り付けた前面パネルが傾いたり、倒れたりするようにし、これによって本体内に設けた音再生装置の挿入口と地図データ読取装置の挿入口とが現れるようにしたものがある。しかし、このものでは、前面パネルが自動的に傾斜したり、自動的に倒れたりする構成であり、そのための機構の製造コストが高くなる問題があった。
【０００９】
本発明は上記の事情に鑑みてなされたもので、その目的は、ナビ機能を発揮させながらオーディオ記録ディスクの再生ができ、しかも、地図データ記録ディスクの交換も容易に行うことができるカーナビゲーション装置を提供するにある。
【００１０】
【課題を解決するための手段】
上記課題を解決するために請求項１のカーナビゲーション装置では、地図データ読取装置と、音再生装置とを備えているため、ナビ機能を発揮させながら、音楽の再生を行うことができる。しかも、前面パネルを本体から離間する方向に移動させることによって、当該前面パネルと本体との間に、地図データ読取装置に対して地図データ記録ディスクを出し入れ可能な空間が生ずるので、地図データ記録用ディスクを容易に交換することができる上、その交換のための機構は単に前面パネルを往復移動可能とするだけのものであるから、安価に提供することができる。
【００１１】
請求項２のカーナビゲーション装置では、前面パネルを本体の前面を閉鎖した位置にロックするロック装置およびこのロック装置によるロックが解除されたとき前面パネルを蓄勢弾発力によって前方に移動させる弾性部材を設けることにより、ロックを解除したとき、前面パネルが自動的に前方に移動する構造を安価に提供できる。
【００１２】
【発明の実施の形態】
以下、本発明の一実施例を図面に基づいて説明する。図１および図２に示されているように、カーナビゲーション装置１は、前面が開放された箱状の本体２と、この本体２の前面の開口部を開閉する前面パネル３とを備えている。そして、本体２内の下部には、カーナビゲーション装置１の制御回路、その他のカーナビゲーション装置１の各種回路を構成する電子部品を搭載した基板４が配設されている。
【００１３】
また、本体２内の上部には、オーディオ記録ディスクとしての図示しない音楽用ＣＤを回転させて当該ＣＤに記録されたデータを読み取って音として再生する音再生装置としてのオーディオデッキ５が配設されている。そして、このオーディオデッキ５の前面部には、音楽用ＣＤを出し入れするための出入口６が設けられている。
【００１４】
一方、前面パネル３には、例えば液晶からなる画面を備えた表示器７が配設されている。また、前面パネル３の上部には、表示器７の上方に位置して挿入口８が形成されている。この挿入口８は、本体２の前面を前面パネル３により閉じると、オーディオデッキ５の出入口６に連なるようになっており、挿入口８から挿入した音楽用ＣＤは、そのまま出入口６からオーディオデッキ５内に受け入れられるようになっている。
【００１５】
前面パネル３の裏面側には、地図データ記録ディスク、例えば地図データ用ＤＶＤ９をセットするためのトレイ１０が固定されており、このトレイ１０の下側に、ＤＶＤ９を回転させながら当該ＤＶＤ９から地図データを読み取る地図データ読取装置１１が配設されている。この地図データ読取装置１１に読み取られた地図データは、表示器７の画面に表示されるようになっている。なお、前面パネル３側の機器と本体２側の機器とは、フレキシブルフラットケーブル１２によって互いに接続されている。
【００１６】
図３に示すように、上記トレイ１０の左右両側はほぼＴ字形に形成されてスライド部１３を構成している。これに対し、本体２の左右両内面には、ほぼＴ字形のガイド溝１４を有したレール１５が配設されている。そして、レール１５のガイド溝１４内に、トレイ１０のスライド部１３を嵌合することによってトレイ１０が前後方向に移動可能に支持された状態となる。
【００１７】
従って、前面パネル３は、引っ張られたり、押されたりすると、本体２から前方に離間する方向（離間方向）に移動したり、これとは反対の本体２に接する方向（接近方向）に移動したりする。もちろん、この前面パネル３の離間方向および接近方向への往復移動に伴って、トレイ１０は本体２内に対して出入する。このように前面パネル３を離間方向および接近方向に移動可能に支持するスライド部１３およびレール１５は支持装置１６を構成する。
【００１８】
そして、前面パネル３を図示しないストッパによって停止するまで離間方向へ移動させると、本体２と前面パネル３との間に空間Ｓが生ずる。この空間Ｓの前後方向長さは、空間Ｓを通じてトレイ１０に対してＤＶＤ９を着脱操作できる程度の寸法に定められている。
【００１９】
図４に示すように、前面パネル３の裏面の例えば下部左側には、ほぼコ字形のロック部材１７が軸１８を中心に回動可能に設けられている。このロック部材１７は、ねじりコイルばね１９によって矢印Ａ方向に回動付勢されている。ロック部材１７に対して、本体２の左内側面には、係止部材２０が固定されている。これらロック部材１７および係止部材２０は前面パネル３を閉鎖位置にロックするロック装置２１を構成する。
【００２０】
つまり、図４に実線で示すように、係止部材２０の後面部にロック部材１７の前部係合部１７ａが係合すると、前面パネル３が前方への移動が阻止されたロック状態となる。このロック状態では、前面パネル３は、本体２の前端部に当接して本体２の前面を閉鎖しているのである。
【００２１】
ロック部材１７に対応に対応して、前面パネル３にはロック解除部材としてのイジェクタボタン２２が前後方向に移動可能に設けられている。このイジェクタボタン２２にはフランジ２０ａが設けられており、このフランジ２０ａと前面パネル３に取り付けられた受け座２３との間には、イジェクタボタン２２を前方に付勢する圧縮コイルばね２４が設けられている。また、トレイ１０と本体２の背面部との間には、トレイ１０を前方に付勢する弾性部材としての圧縮コイルばね２５が設けられている。
【００２２】
上記イジェクタボタン２２を圧縮コイルばね２４の弾発力に抗して後方へ押圧すると、図４に二点鎖線で示すように、イジェクタボタン２２がロック部材１７の前部受け桿１７ｂに当接してロック部材１７を矢印Ａとは反対方向に回動し、これにより係合部１７ａが係止部材２０から外れる。すると、トレイ１０が圧縮コイルばね２５のばね力（蓄勢弾発力）を受けて前方に移動するので、その後、前面パネル３を前方に引っ張ると、前面パネル３をトレイ１０と共に前方の限界位置まで移動させることができる。
【００２３】
係止部材２０の前面は、右側（ロック部材１７側）に向って後方に傾斜する傾斜面２０ａに形成されている。この傾斜面２０ａは、前面パネル３を後方に移動させるとき、ロック部材１７をロック位置に移動させるガイド作用を有する。即ち、前面パネル３を後方に移動させると、ロック部材１７の前部係合部１７ａが係止部材２０の傾斜面２０ａに当接して矢印Ａとは反対方向に回動しながら当該傾斜面２０ａを乗り越える。そして、傾斜面２０ａから係合部１７ａが外れると、ロック部材１７がねじりコイルばね１９の弾発力によって矢印Ａ方向に回動し、図４に実線で示すロック状態となる。
【００２４】
上記のように構成されたカーナビゲーション装置１では、常には本体２の前面を前面パネル３により閉鎖した状態にしておく。この状態でナビ機能を発揮させると、地図データ読取装置１１がＤＶＤ９から地図データを読み取り、その読み取った地図データを表示器７に表示する。また、目的地を設定すると、基板４に設けられた制御部は現在地から目的地までの経路を探索してこれを案内経路として表示器７の地図上に表示する。
【００２５】
このナビ機能の動作中にＣＤで音楽を聴きたい場合には、音楽用ＣＤを挿入口８から挿入する。すると、その音楽用ＣＤは、オーディオデッキ５に受け入れられ、オーディオデッキ５により再生される。
【００２６】
ところで、地図データを更新した新しいＤＶＤが発売され、今まで使用していたＤＶＤ９と交換する場合がある。この場合には、イジェクタボタン２２を押圧操作して前面パネル３を前方の限界位置まで引き出す。すると、前面パネル３と本体２との間に空間Ｓが生ずるので、今まで使用していたＤＶＤ９をトレイ１０から取り外し、新たに購入したＤＶＤをトレイ１０にセットする。その後、前面パネル３を後方に押し込むと、前面パネル３は本体２の前面を閉鎖した位置にロックされる。
【００２７】
このように本実施例によれば、地図データ読取装置１１の他にオーディオデッキ５を備えているので、ナビ機能の動作中であってもこれとは無関係に音楽用ＣＤを再生して音楽を楽しむことができる。しかも、挿入口８としては音楽用ＣＤのものを一つだけ設ければ済むので、表示器７の液晶画面としては通常の大きさのものを使用することができ、地図データの表示はもちろん、多様な情報を表示するに際し支障をきたす恐れはない。
【００２８】
また、挿入口８が音楽ＣＤ用のものだけであっても、前面パネル３を前方に移動させると、前面パネル３と本体２との間に空間Ｓが生じ、この空間Ｓを通じて地図データ用ＤＶＤ９の交換を容易に行うことができるので、更新された地図データを記録した新しいＤＶＤと交換する作業をユーザ自身が簡単に行うことができる。
【００２９】
なお、本発明は上記し且つ図面に示す実施例に限定されるものではなく、以下のような拡張或は変更が可能である。
テレビ受像機を設け、受信した画像を表示器７に表示するように構成しても良い。
音楽再生用のオーディオデッキはＭＤに記録された音楽を再生するものであっても良い。
地図データ記録ディスクはＣＤであっても良いし、オーディオ記録ディスクはＭＤ（ミニディスク）であっても良い。
前面パネル３を往復移動可能に支持する構造としては、ローラを用いて軽く移動できる構造としたり、ボールを使用したリニアガイドであっても良い。
【図面の簡単な説明】
【図１】本発明の一実施例を示すもので、前面パネルを前方に移動させた状態の側面図
【図２】本体側と前面パネル側とに分解して示す斜視図
【図３】トレイの支持構造を示す縦断正面図
【図４】前面パネルのロック構造を示す横断面図
【符号の説明】
図中、２は本体、３は前面パネル、５はオーディオデッキ（音再生装置）、７は表示器、８は挿入口、９は地図データ用ＤＶＤ（地図データ記録用ディスク）、１０はトレイ、１１は地図データ読取装置、１３はスライド部、１５はレール、１６は支持装置、１７はロック部材、２０は係止部材、２１はロック装置、２２はイジェクタボタン、２５は圧縮コイルばね（弾性部材）である。
【図１】
2004228419.tif 000003
【図２】
2004228419.tif 000004
【図３】
2004228419.tif 000005
【図４】
2004228419.tif 000006